(57)【要約】【課題】ドラム部に指を掛けて掴むことができ、しかもドラム部内部に塵埃が侵入しても簡単且つ容易に排除できるようにする。【解決手段】ドラム部２と、このドラム部２の軸方向各端縁から立設する一対のフランジ部３とを備え、前記ドラム部２は軸が貫通する軸穴６を有する軸穴部５と、この軸穴部５から径外方向に離れて位置し且つテープ４が巻き付けられる巻き面１３ａを有する巻き胴１３と、前記軸穴部５から放射状に延びて巻き胴１３と連結し且つ軸穴部５と巻き胴１３との間を周方向複数空間１５に区画する複数本の連結リム１４とを有する。【選択図】　　　図１
2004075385.tif 000002
【特許請求の範囲】
【請求項１】
ドラム部（２）と、このドラム部（２）の軸方向各端縁から立設する一対のフランジ部（３）とを備え、前記ドラム部（２）は軸が貫通する軸穴（６）を有する軸穴部（５）と、この軸穴部（５）から径外方向に離れて位置し且つテープ（４）が巻き付けられる巻き面（１３ａ）を有する巻き胴（１３）と、前記軸穴部（５）から放射状に延びて巻き胴（１３）と連結し且つ軸穴部（５）と巻き胴（１３）との間を周方向複数空間（１５）に区画する複数本の連結リム（１４）とを有することを特徴とするテープリール。
【請求項２】
前記複数本の連結リム（１４）の少なくとも１本には、リール径方向中途部に指を掛けることが可能な指掛け穴（８）を形成した指掛け部（７）を有することを特徴とする請求項１に記載のテープリール。
【請求項３】
前記指掛け部（７）の指掛け穴（８）の内部壁面は、ドラム部（２）の軸方向両端間で平滑面であることを特徴とする請求項２に記載のテープリール。
【請求項４】
前記指掛け部（７）を有する連結リム（１４）は軸穴部（５）の外周に等間隔に３本以上設けてあり、各指掛け部（７）の断面形状は円形であることを特徴とする請求項３に記載のテープリール。
【請求項５】
前記連結リム（１４）は軸穴部（５）の外周に４本以上の複数本設けあり、指掛け部（７）は１本おきの連結リム（１４）に設けていることを特徴とする請求項３に記載のテープリール。
【請求項６】
前記空間（１５）を形成する軸穴部（５）、巻き胴（１３）及び連結リム（１４）の壁面は、ドラム部（２）の軸方向両端間で平滑面であることを特徴とする請求項１〜５のいずれかに記載のテープリール。
【請求項７】
前記空間（１５）は、指を挿入可能な形状であることを特徴とする請求項６に記載のテープリール。
【請求項８】
前記片方のフランジ部（３）、軸穴部（５）、巻き胴（１３）及び連結リム（１４）を一体成形した一対の薄板状のフランジ部形成部材（１１）と、軸穴部（５）、巻き胴（１３）及び連結リム（１４）を一体成形したドラム部形成部材（１０）とを有し、前記ドラム部形成部材（１０）の軸穴部（５）、巻き胴（１３）及び連結リム（１４）の軸方向両端面にそれぞれフランジ部形成部材（１１）のフランジ部（３）の内周部分、軸穴部（５）、巻き胴（１３）及び連結リム（１４）を対応させて接合していることを特徴とする請求項１〜７のいずれかに記載のテープリール。
【請求項９】
片方のフランジ部（３）、軸穴部（５）、巻き胴（１３）及び連結リム（１４）を一体成形した半割リール部材を２つ対面させて、両半割リール部材の軸穴部（５）、巻き胴（１３）及び連結リム（１４）を対応させて接合していることを特徴とする請求項１〜７のいずれかに記載のテープリール。
【請求項１０】
前記片方のフランジ部（３）、軸穴部（５）、巻き胴（１３）及び連結リム（１４）を一体成形し且つ前記巻き胴（１３）をフランジ部（３）の内周部分から軸方向に突出したフランジ部形成部材（１１）と、軸穴部（５）及び連結リム（１４）を一体成形し且つフランジ部形成部材（１１）の巻き胴（１３）の内周側に配置される内周部（１０ａ）を有するドラム部形成部材（１０）とを有し、前記フランジ部形成部材（１１）を２つ対面させて軸穴部（５）、巻き胴（１３）及び連結リム（１４）を対応させ、且つ巻き胴（１３）の内周側にドラム部形成部材（１０）を配置してそれらの軸穴部（５）及び連結リム（１４）をフランジ部形成部材（１１）の軸穴部（５）及び連結リム（１４）に対応させて接合していることを特徴とする請求項１〜７のいずれかに記載のテープリール。
【請求項１１】
前記片方のフランジ部（３）、軸穴部（５）、巻き胴内周部及び連結リム（１４）を一体成形し且つ前記巻き胴内周部（１０ｂ）をフランジ部（３）の内周部分から軸方向に突出したフランジ部形成部材（１１）と、巻き面（１３ａ）を有する巻き胴（１３）のみのドラム部形成部材（１０）とを有し、前記フランジ部形成部材（１１）を２つ対面させて軸穴部（５）、巻き胴内周部及び連結リム（１４）を対応させ、且つ巻き胴内周部（１０ｂ）の外周側にドラム部形成部材（１０）を嵌合してフランジ部形成部材（１１）相互を接合していることを特徴とする請求項１〜７のいずれかに記載のテープリール。
【発明の詳細な説明】
【０００１】
【発明の属する技術分野】
本発明は、例えば、半導体チップの実装工程等で使用するＴＡＢテープ、ＣＯＦテープ、スペーサーテープなどの長尺のテープを巻回するテープリールに関するものである。
【０００２】
【従来の技術】
従来から、半導体チップの実装工程で使用するＴＡＢ（テープ・オートメイティッド・ボンディング）テープ、ＣＯＦ（チップ・オン・フィルム）テープなどの長尺のテープは、テープリールに巻回された上で、そのまま移送（輸送）されたり、ＩＣチップ実装装置等に装着されている。すなわち、実装装置に装着されたテープリールから巻回されているテープが順次繰り出されることで、実装装置内にテープが供給されるようになっている。
【０００３】
このテープリールは、ドラム部と、このドラム部の軸方向各端縁から立設する一対のフランジ部とを備え、前記ドラム部は軸が貫通する軸穴を有する軸穴部と、この軸穴部から径外方向に離れて位置し且つテープが巻き付けられる巻き面を有する巻き胴と、前記軸穴部と巻き胴とを連結する一対の側壁とを有している。そして、前記テープリールは、片方のフランジ部、軸穴部、巻き胴及び片方の側壁を一体成形した一対の薄板状のフランジ部形成部材と、軸穴部、巻き胴及び軸穴部と巻き胴とを連結する中央壁とを一体成形したドラム部形成部材とを形成し、前記ドラム部形成部材の軸穴部及び巻き胴の軸方向両端面にそれぞれフランジ部形成部材のフランジ部の軸穴部及び巻き胴を対応させて接合して構成している。
【０００４】
前記フランジ部形成部材の側壁には、指を挿入可能な指掛け穴が複数形成されていて、この指掛け穴に指を挿入し挟み込むことで、テープリールを回転軸に嵌脱する際に保持可能となっている。
【０００５】
【特許文献１】
特開２００１ー１３９２３３号公報。
【０００６】
【発明が解決しようとする課題】
前記軸方向両端の側壁は軸穴部と巻き胴とを連結する連結部分であり、ドラム部内部を覆い隠す目隠し部分であるが、ドラム部内部は正面及び背面の側壁によって覆われた空洞になっており、外部から埃や塵が入り込むと、出難くなっている。
前記側壁にドラム部内部と連通する指掛け穴を形成していると、前記問題は顕著であり、指掛け穴を通ってドラム部内部に埃や塵が入り、製造時又はリサイクル時等にテープリールを洗浄すると、ドラム部内部空間と指掛け穴との間に大きな段差が生じて、側壁が障害になって埃や塵の除去が難しく、洗浄後のドラム部内部の乾燥も困難になっている。
【０００７】
本発明は、このような従来技術の問題点を解決できるようにしたテープリールを提供することを目的とする。
本発明は、軸穴部と巻き胴とを放射状に延びる複数本の連結リムで連結し、この連結リムに、又は連結リム間に指掛け部を形成することにより、指を掛けて掴むことができ、しかもドラム部内部に塵埃が侵入しても簡単且つ容易に排除できるようにしたテープリールを提供することを目的とする。
【０００８】
【課題を解決するための手段】
本発明における課題解決のための具体的手段は、次の通りである。
第１に、ドラム部２と、このドラム部２の軸方向各端縁から立設する一対のフランジ部３とを備え、前記ドラム部２は軸が貫通する軸穴６を有する軸穴部５と、この軸穴部５から径外方向に離れて位置し且つテープ４が巻き付けられる巻き面１３ａを有する巻き胴１３と、前記軸穴部５から放射状に延びて巻き胴１３と連結し且つ軸穴部５と巻き胴１３との間を周方向複数空間１５に区画する複数本の連結リム１４とを有する。
【０００９】
これによって、軸穴部５と巻き胴１３とは複数本の連結リム１４によって連結されていて指を掛けて掴むことができ、ドラム部２の内部を覆う側壁がなく、塵埃が侵入しても簡単且つ容易に排除できる。
第２に、前記複数本の連結リム１４の少なくとも１本には、リール径方向中途部に指を掛けることが可能な指掛け穴８を形成した指掛け部７を有する。
これによって、連結リム１４の一部として指掛け部７を簡単に形成でき、且つ指掛けも容易にできる。
【００１０】
第３に、前記指掛け部７の内部壁面の指掛け穴８は、ドラム部２の軸方向両端間で平滑面である。
これによって、指掛け部７の内部に塵埃が侵入しても簡単且つ容易に排出できる。
第４に、前記連結リム１４は軸穴部５の外周に等間隔に３本以上設けてあり、各指掛け部７の断面形状は円形である。
これによって、指掛け部７に指を挿入して、テープリールを確実に把持することができる。
【００１１】
第５に、前記連結リム１４は軸穴部５の外周に４本以上の複数本設けあり、指掛け部７は１本おきの連結リム１４に設けている。
これによって、指掛け部７に指を挿入して、テープリールを確実に把持することができ、かつテープリールの強度を向上できる。
第６に、前記空間１５を形成する軸穴部５、巻き胴１３及び連結リム１４の壁面は、ドラム部２の軸方向両端間で平滑面である。
これによって、空間１５の周囲面で塵埃が引っ掛かることがなく、洗浄及び乾燥が確実にできる。
【００１２】
第７に、前記空間１５は、指を挿入可能な形状である。
これによって、軸穴部５、巻き胴１３及び連結リム１４で区画された空間１５を利用して指掛けができ、特別な指掛け部を形成しなくてもテープリールを確実に把持することができる。
第８に、前記片方のフランジ部３、軸穴部５、巻き胴１３及び連結リム１４を一体成形した一対の薄板状のフランジ部形成部材１１と、軸穴部５、巻き胴１３及び連結リム１４を一体成形したドラム部形成部材１０とを有し、前記ドラム部形成部材１０の軸穴部５、巻き胴１３及び連結リム１４の軸方向両端面にそれぞれフランジ部形成部材１１のフランジ部３の内周部分、軸穴部５、巻き胴１３及び連結リム１４を対応させて接合している。
【００１３】
これによって、フランジ部形成部材１１のドラム部２相当部分をドラム部形成部材１０に接合してテープリールを強固に構成できる。
第９に、片方のフランジ部３、軸穴部５、巻き胴１３及び連結リム１４を一体成形した半割リール部材を２つ対面させて、両半割リール部材の軸穴部５、巻き胴１３及び連結リム１４を対応させて接合している。
これによって、２つの半割リール部材を接合するだけで簡単且つ強固にテープリールを構成できる。
【００１４】
第１０に、前記片方のフランジ部３、軸穴部５、巻き胴１３及び連結リム１４を一体成形し且つ前記巻き胴１３をフランジ部３の内周部分から軸方向に突出したフランジ部形成部材１１と、軸穴部５及び連結リム１４を一体成形し且つフランジ部形成部材１１の巻き胴１３の内周側に配置される内周部１０ａを有するドラム部形成部材１０とを有し、前記フランジ部形成部材１１を２つ対面させて軸穴部５、巻き胴１３及び連結リム１４を対応させ、且つ巻き胴１３の内周側にドラム部形成部材１０を配置してそれらの軸穴部５及び連結リム１４をフランジ部形成部材１１の軸穴部５及び連結リム１４に対応させて接合している。
【００１５】
これによって、ドラム部形成部材１０とフランジ部形成部材１１との接合作業が容易であり、テープリールを強固に構成できる。
第１１に、前記片方のフランジ部３、軸穴部５、巻き胴内周部及び連結リム１４を一体成形し且つ前記巻き胴内周部１０ｂをフランジ部３の内周部分から軸方向に突出したフランジ部形成部材１１と、巻き面１３ａを有する巻き胴１３のみのドラム部形成部材１０とを有し、前記フランジ部形成部材１１を２つ対面させて軸穴部５、巻き胴内周部及び連結リム１４を対応させ、且つ巻き胴内周部１０ｂの外周側にドラム部形成部材１０を嵌合してフランジ部形成部材１１相互を接合している。
【００１６】
これによって、ドラム部形成部材１０の製作が簡単であり、ドラム部形成部材１０とフランジ部形成部材１１との接合作業が容易であり、テープリールを強固に構成できる。
【００１７】
【発明の実施の形態】
以下、本発明の実施の形態を図面に基づいて説明する。
図１〜５はテープリール１の第１実施形態を示しており、このテープリール１は、その略中心に、略円筒状のドラム部形成部材１０を有し、一対の略円板状のフランジ部形成部材１１で前記ドラム部形成部材１０の軸方向両端縁を挟み込み、相互に接合することで構成されている。
すなわち、ドラム部形成部材１０の両端縁に、フランジ部形成部材１１の中央に形成されたドラム部側面部１２が両側より固着することで、長尺のテープ４を巻き付けるドラム部２（ハブ部）が形成されている。そして、前記フランジ部形成部材１１のドラム部側面部１２径外側は、前記ドラム部２の両端縁に立設する一対のフランジ部３となっている。
【００１８】
テープリール１の詳細は、図２〜５に示しており、ドラム部形成部材１０の中心には、略円筒形の穴にキー溝を形成した軸穴６を有する軸穴部５が形成されている。前記軸穴６は、図１３に示すように、ＩＣ実装装置等（以下、実装装置１８）に備えられた回転軸１９に嵌合することで、テープリール１を実装装置１８に回転自在に保持可能になる。
前記軸穴部５の外周面から放射方向に、即ち、ドラム部２に複数本（８本）の径方向連結リム１４が延設されており、その側面は平滑な平面となっている。連結リム１４の先端は巻き胴１３に連結されており、この連結リム１４を介して巻き胴１３は軸穴部５に対して固定されることになる。
【００１９】
前記連結リム１４は、ドラム部形成部材１０内部を周方向に区画して、連結リム１４間に空間１５を形成している。各空間１５は一対の連結リム１４と軸穴部５の外周面と、巻き胴１３の内周面とで囲まれており、それらの壁面は凹凸、段差等のない平滑面であって、軸方向外方に開放されている。前記壁面はストレート面であり、型抜き勾配程度の傾斜角度のあるテーパ面でもよく、空間１５はドラム部形成部材１０の軸方向に貫通している。
軸穴部５の外周に周方向等間隔（４５度間隔）に８本形成した連結リム１４は、１本おき（９０度間隔）に指掛け部７が形成されている。この指掛け部７は連結リム１４のリール径方向中途部をリール周方向に膨出させて筒形状に形成しており、内側の空間が指掛け穴８となっている。この指掛け穴８は人の指を挿入可能な大きさで、軸方向に貫通する孔となっている。
【００２０】
この指掛け穴８はドラム部形成部材１０の軸方向に貫通した断面円形の穴であり、その壁面はストレート面、又は型抜き勾配程度の傾斜角度のあるテーパ面でもよい
なお、本実施形態の指掛け穴８は軸方向に貫通する穴であるが、有底の穴であっても何ら問題はない。すなわち、ドラム部２の両端面の一方が側壁で閉鎖されることで、有底の指掛け穴８となっていても良い。また、図３に２点鎖線で示すように、指掛け穴８の軸方向中央に、壁すなわち底２４を有するものであっても良い。
【００２１】
ドラム部形成部材１０の巻き胴１３には軸方向と平行に１本又は２本の切り込み溝２５が形成されている。この切り込み溝２５に、テープ４の基端を差し入れ、ドラム部形成部材１０に係合させることにより、その巻回がスムーズに行えるようになる。
前記ドラム部形成部材１０の軸方向両端縁に固着されている一対のフランジ部形成部材１１は、以下に示すようなものである。
各フランジ部形成部材１１の略中央は、ドラム部形成部材１０と当接するドラム部側面部１２となっており、ドラム部形成部材１０の軸方向に対する垂直断面と略同一形状を有している。すなわち、中央に軸穴部５を有し、そこから径外方向に複数（８本）の連結リム１４を有し、全連結リム１４の径方向外端に巻き胴１３が形成され、この巻き胴１３からフランジ部３が一体に形成されており、フランジ部３の内周部分が巻き胴１３となっている。
【００２２】
また、前記８本の連結リム１４のうち、１つ飛びで４つの連結リム１４の中途部に指掛け穴８を有する指掛け部７が形成されている。
したがって、テープリール１は、前記片方のフランジ部３、軸穴部５、指掛け部７、巻き胴１３及び連結リム１４を一体成形した一対の薄板状のフランジ部形成部材１１と、軸穴部５、指掛け部７、巻き胴１３及び連結リム１４を一体成形したドラム部形成部材１０とを有し、前記ドラム部形成部材１０の軸穴部５、指掛け部７、巻き胴１３及び連結リム１４の軸方向両端面にそれぞれフランジ部形成部材１１のフランジ部３の内周部分、軸穴部５、指掛け部７、巻き胴１３及び連結リム１４を対応させて接合している。
【００２３】
すなわち、フランジ部形成部材１１の軸穴部５、指掛け部７、巻き胴１３及び連結リム１４はドラム部形成部材１０の軸穴６、空間１５及び指掛け穴８等を小さくするような段差を生じることなく接合されている。但し、フランジ部形成部材１１の軸穴６、空間１５及び指掛け穴８等がドラム部形成部材１０のそれらより広くなるような段差は許容される。
前記組み立てられたテープリール１においては、ドラム部形成部材１０の正面形状とフランジ部形成部材１１のドラム部側面部１２の正面形状とが同一形状で且つ重なり合うことで、軸穴６と指掛け穴８と空間１５は外方にストレートに開放され、軸方向に段差なく貫通するものとなる。
【００２４】
フランジ部形成部材１１において、前記ドラム部側面部１２の径外側はフランジ部３となっており、このフランジ部３の外側面２６（一対のフランジ部３の対向しない面）には、フランジ部３の強度を増すために、ドラム部２の巻き胴１３位置から径方向に延びる凸条リブ２９が放射状に多数本形成されている。また、巻回されているテープ４の量を確認するための任意の大きさの開口３０が複数形成されている。
フランジ部３の外側面２６には、前記凸条リブ２９や開口３０が形成されていなくて平面となっているフラット部３１も形成されている。このフラット部３１は巻回されているテープ４の名称や種類を記載したり、それらが記載されたシールなどを貼り付ける場所として利用される。
【００２５】
フランジ部３の内側面２７（一対のフランジ部３の対向する面）は、凹凸のない平滑面となっている。これにより、巻回されるテープ４の両縁がフランジ内側面２７と擦れあっても、テープ４の縁が破損したりするなどの不都合を防せぐことができる。
なお、前記フランジ部３は、ドラム部２に巻回され積層状態のテープ４を両側から保持する役目を有するものであれば、その形状は本実施形態のものに限定されるものではない。
【００２６】
前記テープリール１は、導電材料を練り込むことで導電性を有するようになっているプラスチック材で形成されている。詳しくは、カーボン粒子等を練り込んだポリスチレン（ＰＳ）を材料として形成されているが、ポリプロピレン（ＰＰ）やアクリロニトリルブタジェンスチレン（ＡＢＳ）等で形成しても良い。アルミ材等で形成しても何ら問題はない。
テープリール１は、これら導電性を有する材料で形成されることにより、巻回された半導体チップが装着されたＴＡＢテープなどから静電気を放電させることができ、半導体チップの静電気による破壊を防ぐことができる。
【００２７】
テープリール１の接合には、ドラム部形成部材１０とフランジ部形成部材１１の接合には接着剤を用いているが、超音波などによる融着を施しても良い。係合凹部及び係合凸部などの係合部位を形成し、それらを介して接合する構成であってもよい。
前記テープリール１は、リサイクル時又は製造時に洗浄され、例えば、図１３に示すに実装装置１８の回転軸１９に装着して、ＴＡＢテープ、ＣＯＦテープ等のテープ４の供給又は巻き取りに利用される。
【００２８】
テープリール１は、連結リム１４間の空間１５も指掛け穴８も、壁面が平滑で軸方向に貫通しているので、埃や塵が溜まり難いだけでなく、洗浄工程で洗浄液の出し入れがスムーズに行われることで、埃や塵が簡単且つ確実に除去でき、通風状態も良好になるため、乾燥のスピードアップも図れる。
図６に示す第２実施形態のテープリールは、テープリール１の形状が前記第１実施形態と同様に、ドラム部２と、このドラム部２の軸方向各端縁から立設する一対のフランジ部３とを備え、前記ドラム部２は軸が貫通する軸穴６を有する軸穴部５と、この軸穴部５から径外方向に離れて位置し且つテープ４が巻き付けられる巻き面１３ａを有する巻き胴１３と、前記軸穴部５から放射状に延びて巻き胴１３と連結し且つ軸穴部５と巻き胴１３との間を周方向複数空間１５に区画する複数本の連結リム１４とを有し、前記複数本の連結リム１４の１本おきには、リール径方向中途部に指を掛けることが可能な断面円形の指掛け穴８を有する指掛け部７が形成され、この指掛け部７の指掛け穴８の内部壁面は、ドラム部２の軸方向両端間で平滑面に形成されている。
【００２９】
しかしながら、ドラム部２及び一対のフランジ部３を構成するドラム部形成部材１０及びフランジ部形成部材１１の構造が異なると共に、その組立方法が異なっている。
第２実施形態のフランジ部形成部材１１は、その中央にドラム部形成部材１０Ａが一体に形成されたものである。前記ドラム部形成部材１０Ａは、第１実施形態のドラム部形成部材１０と正面視略同一形状で、その厚みが略半分のものである。
【００３０】
前記フランジ部形成部材１１の正面視中央には、ドラム部形成部材１０Ａの断面形状と同形状のものが形成され、軸穴６、指掛け穴８及び空間１５が軸方向に貫通するようになっていて、２枚のフランジ部形成部材１１を、そのドラム部形成部材１０Ａ端面同士が当接するように突き合わせ接合することにより、テープリール１を組み立てる。
この組立方法により形成されたテープリール１は、第１実施形態のテープリール１と略同一形状で、軸穴６、指掛け穴８及び空間１５が軸方向両端間にわたって平滑面でストレートに貫通している。したがって、第１実施形態と略同様の作用効果を奏するようになる。
【００３１】
すなわち、片方のフランジ部３、軸穴部５、巻き胴１３及び連結リム１４を一体成形した半割リール部材（ドラム部形成部材１０Ａを有するフランジ部形成部材１１）を２つ対面させて、両半割リール部材の軸穴部５、巻き胴１３及び連結リム１４を対応させて接合している。
図７に示す第３実施形態のテープリールは、前記第１実施形態とドラム部２及び一対のフランジ部３の形状は略同一であるが、それを構成するドラム部形成部材１０及びフランジ部形成部材１１の構造が異なると共に、その組立方法が異なっている。
【００３２】
ドラム部形成部材１０は巻き胴１３の巻き面１３ａを形成するものではなく、外周が第１実施形態より小径の内周部１０ａとなっており、一対のフランジ部形成部材１１のそれぞれのドラム部側面部１２の周縁に一体に成形した補強巻き胴４１が外嵌しており、この補強巻き胴４１が巻き面１３ａを形成し、前記内周部１０ａがドラム部２の強度を向上させている。
すなわち、フランジ部形成部材１１にフランジ部３の内周部分から軸方向に巻き胴１３を形成する補強巻き胴４１を突出し、ドラム部形成部材１０の外周側に巻き胴１３の内周側に配置される内周部１０ａを設け、前記フランジ部形成部材１１を２つ対面させて軸穴部５、巻き胴１３及び連結リム１４を対応させ、且つ巻き胴１３の内周側にドラム部形成部材１０を配置してそれらの軸穴部５及び連結リム１４をフランジ部形成部材１１の軸穴部５及び連結リム１４に対応させて接合している。
【００３３】
図８に示すテープリール１の第４実施形態は、前記第２実施形態とドラム部２及び一対のフランジ部３の構造は略同一であるが、それを構成するドラム部形成部材１０及びフランジ部形成部材１１の構造が異なると共に、その組立方法が異なっている。
片方のフランジ部３、軸穴部５、巻き胴１３及び連結リム１４を一体成形した半割リール部材を２つ対面させて、両半割リール部材の軸穴部５、巻き胴１３及び連結リム１４を対応させ、そのドラム部２の巻き胴１３の外周に補強筒部材３３を外嵌した構造であり、前記半割リール部材の巻き胴１３は巻き胴内周部１０ｂとなり、補強筒部材３３が実質的に巻き面１３ａを形成する巻き胴１３を形成し、ドラム部形成部材１０は巻き胴１３のみを形成している。
【００３４】
すなわち、前記片方のフランジ部３、軸穴部５、巻き胴内周部１０ｂ及び連結リム１４を一体成形し且つ前記巻き胴内周部１０ｂをフランジ部３の内周部分から軸方向に突出したフランジ部形成部材１１と、巻き面１３ａを有する巻き胴１３のみのドラム部形成部材１０とを有し、前記フランジ部形成部材１１を２つ対面させて軸穴部５、巻き胴内周部１０ｂ及び連結リム１４を対応させ、且つ巻き胴内周部１０ｂの外周側にドラム部形成部材１０の補強筒部材３３を嵌合してフランジ部形成部材１１相互を接合している。
【００３５】
図９に示すテープリール１の第５実施形態は、ドラム部２の連結リム１４を周方向等間隔に４本形成して、その総てに指掛け部７を設けており、指掛け穴８も連結リム１４間の空間１５も、軸穴６と同様に、内壁面が凹凸、段差等のない平滑面であり、ドラム部２を軸方向にストレートに貫通している。
フランジ部３には４カ所に大きな開口３０が形成されており、連結リム１４の延長上に凸条リブ２９が形成されている。
前記第５実施形態のテープリール１は、第１実施形態のテープリール１における、指掛け穴８を設けていない連結リム１４をドラム部２から削除した形状と実質的に同一になる。
【００３６】
図１０に示すテープリール１の第６実施形態は、ドラム部２の連結リム１４を周方向等間隔に４本形成して、指掛け部７は形成されていなく、第１実施形態のテープリール１における、指掛け穴８を設けた連結リム１４をドラム部２から削除した形状と実質的に同一になっている。
連結リム１４間の空間１５は軸穴６と同様に、ドラム部２を軸方向にストレートに貫通しており、この空間１５を形成する軸穴部５、巻き胴１３及び連結リム１４の壁面は、ドラム部２の軸方向両端間で平滑面であるので、人の指を挿入可能な形状であり、この空間１５の特に軸穴部５の外周面が指掛け部として利用でき、特別な指掛け部を形成しなくてもテープリールを確実に把持することができるようになっている。
【００３７】
図１１、１２に示すテープリール１の第７実施形態は、ドラム部２の連結リム１４を周方向等間隔に４本形成して、指掛け部７は形成されていなく、軸穴部５と巻き胴１３との間に中間環部３９を形成し、この中間環部３９を連結リム１４と一体成形しており、第６実施形態のテープリール１に中間環部３９を追加した形状になっている。
連結リム１４間の空間１５は中間環部３９によって内外に分離されており、中間環部の内側の空間１５も外側の空間１５も、ドラム部２を軸方向にストレートに貫通して指挿入可能な形状であり、この内外どちらの空間１５に指を掛けてもテープリールを確実に把持することができるようになっている。したがって、軸穴部５及び中間環部３９の各外周面が指掛け部として機能している。なお、連結リム１４と中間環部３９との交差点に指掛け穴８を有する指掛け部７を形成してもよい。
【００３８】
前記第５〜７実施形態のテープリール１のドラム部形成部材１０及びフランジ部形成部材１１の構造、及び組立方法は、第２〜４実施形態を採用することができる。
なお、本発明は前記実施形態における各部材の形状及びそれぞれの前後・左右・上下の位置関係は、図１〜１２に示すように構成することが最良である。しかし、前記実施形態に限定されるものではなく、部材、構成を種々変形したり、組み合わせを変更したりすることもできる。
【００３９】
例えば、連結リム１４を軸穴部５の周囲に周方向等間隔又は不等間隔で２、３、４、６本又はその他の複数本に設定したり、軸穴部５にも指を掛けられるので、指掛け部７の数を１又は複数にしたり、指掛け部７の指掛け穴８の断面形状を多角形、長円形、楕円形にしたりしても良い。
【００４０】
【発明の効果】
以上詳述した本発明によれば、連結リムに又は連結リム間に形成した指掛け部に指を掛けて掴むことができ、しかもドラム部内部に塵埃が侵入しても簡単且つ容易に排除できる
【図面の簡単な説明】
【図１】本発明の第１実施形態を示す斜視図である。
【図２】第１実施形態の正面図である。
【図３】図２のＡ−Ａ線断面図である。
【図４】第１実施形態にかかるドラム部の拡大平面図である。
【図５】第１実施形態の分解断面図である。
【図６】第２実施形態を示す分解断面図である。
【図７】第３実施形態を示す分解断面図である。
【図８】第４実施形態を示す分解断面図である。
【図９】第５実施形態を示す正面図である。
【図１０】第６実施形態を示す要部の拡大正面図である。
【図１１】第７実施形態を示す要部の拡大正面図である。
【図１２】図１１のＢ−Ｂ線断面図である。
【図１３】本発明にかかるテープリールの使用例を示す図である。
【符号の説明】
１　　　テープリール
２　　　ドラム部
３　　　フランジ部
４　　　テープ
５　　　軸穴部
６　　　軸穴
７　　　指掛け部
８　　　指掛け穴
９　　　筒壁
１０　　ドラム部形成部材
１０ａ　内周部
１０ｂ　巻き胴内周部
１１　　フランジ部形成部材
１３　　巻き胴
１３ａ　巻き面
１４　　連結リム
１５　　空間
【図１】
2004075385.tif 000003
【図２】
2004075385.tif 000004
【図３】
2004075385.tif 000005
【図４】
2004075385.tif 000006
【図５】
2004075385.tif 000007
【図６】
2004075385.tif 000008
【図７】
2004075385.tif 000009
【図８】
2004075385.tif 000010
【図９】
2004075385.tif 000011
【図１０】
2004075385.tif 000012
【図１１】
2004075385.tif 000013
【図１２】
2004075385.tif 000014
【図１３】
2004075385.tif 000015